(57)【要約】【課題】補強用リブが容易に形成されるとともにスタッキングの効率がよい建築用面材を提供する。【解決手段】石膏ボード１０を断面略コ字状に成形することで、第一補強用リブ１０１と第二補強用リブ１０２とを面状部１００に一体成形することができ、建築用面材１を容易に製造することができる。また、第二補強用リブ１０２の厚さ寸法Ｌ２が第一補強用リブ１０１の厚さ寸法Ｌ１に比べて面状部１００の厚さ寸法ｔ１だけ小さいため、第二補強用リブ１０２と面状部１００の一方の平面１０３とが当接するようにスタッキングすることで、スタッキングした２枚の建築用面材１の厚さを１枚の建築用面材１の厚さに収めることができる。そのため、建築用面材１の運搬、保管に省スペースを図ることができる。【選択図】図４
2011026877.tif 000002
【特許請求の範囲】
【請求項１】
面状部と、この面状部の互いに反対側に向く２つの平面のうち少なくとも一方の平面に間隔を離して設けられる第一補強用リブおよび第二補強用リブを備え、前記面状部と第一補強用リブと第二補強用リブとが主に石膏またはケイ酸カルシウムなどの無機材料から形成される建築用面材であって、
前記第一補強用リブと前記第二補強用リブとが前記面状部に一体成形され、
前記第一補強用リブと前記第二補強用リブとの前記面状部の厚さ方向の厚さ寸法が前記面状部の厚さ寸法だけ相違することを特徴とする建築用面材。
【請求項２】
請求項１に記載の建築用面材において、
前記面状部の一方の平面側、かつ前記第一補強用リブと前記第二補強用リブとの間には、合板が取り付けられていることを特徴とする建築用面材。
【請求項３】
請求項１または請求項２に記載の建築用面材において、
前記面状部の一方の平面側、かつ前記第一補強用リブと前記第二補強用リブとが設けられていない方向の少なくとも一端には、アングル材が取り付けられていることを特徴とする建築用面材。
【発明の詳細な説明】
【技術分野】
【０００１】
本発明は、建築用面材に関する。
【背景技術】
【０００２】
建物では壁材などの建築用面材として石膏ボードが利用されている。石膏ボードの強度を大きくするために、石膏ボードの裏面両端部に木製の補強用リブを取り付けて建築用面材が構成されている。そして、この建築用面材が面方向に沿って複数枚並んで配置されることで、内壁の下地材が構成される。
従来の建築用面材では補強用リブが木材から形成されているので、森林保護の観点から好ましくない。そのため、石膏ボードの裏面に複数の溝を形成し、溝に沿って石膏ボードを折り曲げて補強用リブを形成する従来例（例えば、特許文献１参照）がある。ここで、石膏ボードの裏面に形成された補強用リブは、ボード厚さ方向の厚さ寸法が互いに同じとされる。
【先行技術文献】
【特許文献】
【０００３】
【特許文献１】特開平９−２７３２６３号公報
【発明の概要】
【発明が解決しようとする課題】
【０００４】
しかしながら、特許文献１の従来例では、溝を形成する工程と、それに続く折り曲げ工程とを実施しなければならず、建築用面材を簡単に製造することができない。その上、左右に配置された補強用リブの厚さ寸法が同じであるため、補強用リブの底面同士が当接するように２枚の建築用面材をスタッキングする場合には、その厚さ寸法が大きくなりすぎて保管に大きなスペースが必要となる。また、２枚の建築用面材をオフセットしてスタッキングする場合も、運搬性が悪い。図７には、石膏ボード５０に厚さ寸法Ｍが同じ補強用リブ５１、５１が設けられた２枚の建築用面材５、５をオフセットしてスタッキングした状態が示されている。石膏ボード５０の厚さ寸法ｔ３に相当する隙間Ｓが石膏ボード５０に当接していない補強用リブ５１の底面に隣接して生じることになり、スタッキング効率が悪い。また、スタッキングした建築用面材５がかさ張り、持ち運びしにくいため、運搬性も悪い。
【０００５】
本発明の目的は、補強用リブが容易に形成されるとともにスタッキングの効率がよい建築用面材を提供することにある。
【課題を解決するための手段】
【０００６】
この目的を達成するために本発明の建築用面材は、以下の構成を備える。
すなわち、本発明は、図面も参照して説明すると、面状部１００と、この面状部１００の互いに反対側に向く２つの平面のうち少なくとも一方の平面１０３に間隔を離して設けられる第一補強用リブ１０１および第二補強用リブ１０２を備え、前記面状部１００と第一補強用リブ１０１と第二補強用リブ１０２とが主に石膏またはケイ酸カルシウムなどの無機材料から形成される建築用面材１であって、前記第一補強用リブ１０１と前記第二補強用リブ１０２とが前記面状部１００に一体成形され、前記第一補強用リブ１０１と前記第二補強用リブ１０２との前記面状部１００の厚さ方向の厚さ寸法Ｌ１、Ｌ２が前記面状部１００の厚さ寸法ｔ１だけ相違することを特徴とする。
【０００７】
この発明によれば、第一補強用リブ１０１と第二補強用リブ１０２とが面状部１００に一体成形されるため、第一補強用リブ１０１と第二補強用リブ１０２とを面状部１００とは別に形成する手間を省くことができる。
また、第一補強用リブ１０１と第二補強用リブ１０２とが面状部１００に強固に結合されているため、建築用面材１の強度を確実に向上することができる。
さらに、第一補強用リブ１０１と第二補強用リブ１０２との面状部１００の厚さ方向の厚さ寸法が面状部１００の厚さ寸法だけ相違するため、第一補強用リブ１０１と第二補強用リブ１０２との内で面状部１００の厚さ方向の厚さ寸法が小さい方と、面状部１００の一方の平面１０３とが当接するようにスタッキングすることで、スタッキングした２枚の建築用面材１の厚さを１枚の建築用面材１の厚さに収めることができる。そのため、所定のスペースにより多くの建築用面材１をスタッキングすることができ、建築用面材１の保管に省スペースを図ることができる。
また、スタッキングした２枚の建築用面材１が面一の状態となり、持ち易いとともに束ね易いため、運搬性を向上することができる。
【０００８】
この際、本発明の建築用面材１では、前記面状部１００の一方の平面１０３側、かつ前記第一補強用リブ１０１と前記第二補強用リブ１０２との間には、合板１２が取り付けられていることが好ましい。
この構成によれば、面状部１００を貫通した釘やビスが合板１２に係止されるため、面状部１００に釘打ちやビス止めができる。
【０００９】
また、本発明の建築用面材１では、前記面状部１００の一方の平面１０３側、かつ前記第一補強用リブ１０１と前記第二補強用リブ１０２とが設けられていない方向の少なくとも一端には、アングル材１１が取り付けられていることが好ましい。
この構成によれば、アングル材１１を梁３２や根太などの建物躯体に釘３０打ちすることで、建築用面材１を容易に取り付けることができる。
【図面の簡単な説明】
【００１０】
【図１】本発明の第１実施形態に係る建築用面材の斜視図。
【図２】（Ａ）、（Ｂ）は建築用面材製造装置の概略構成図。
【図３】前記建築用面材の取り付け状態を示す縦断面図。
【図４】前記建築用面材のスタッキング状態を示す斜視図。
【図５】本発明の第２実施形態に係る建築用面材の斜視図。
【図６】前記建築用面材のスタッキング状態を示す斜視図。
【図７】従来例に係る建築用面材のスタッキング状態を示す斜視図。
【発明を実施するための形態】
【００１１】
以下に、本発明の第１実施形態を図面に基づいて説明する。図１は本発明の第１実施形態に係る建築用面材の斜視図であり、図２（Ａ）、（Ｂ）は石膏ボード製造装置の概略構成図であり、図３は建築用面材１の取り付け状態を示す縦断面図であり、図４は建築用面材１のスタッキング状態を示す斜視図である。
【００１２】
図１において、建築用面材１は、石膏ボード１０と、この石膏ボード１０に取り付けられたアングル材１１とを備えている。
【００１３】
石膏ボード１０は、平面矩形状の面状部１００と、この面状部１００にそれぞれ一体成形された第一補強用リブ１０１および第二補強用リブ１０２とを有している。これらの面状部１００と第一補強用リブ１０１と第二補強用リブ１０２とは石膏又はケイ酸カルシウムなどの無機材料からなり、これらの表面には図示しない石膏ボード用原紙が貼り付けられている。
【００１４】
第一補強用リブ１０１は、Ｘ方向を幅方向とし、Ｙ方向を高さ方向とし、ＸＹ平面と直行する方向を厚さ方向とすると、幅寸法Ｌ３かつ厚さ寸法Ｌ１の断面矩形状とされるものであり、面状部１００の幅方向の一端にＹ方向に沿って設けられている。
第二補強用リブ１０２は、幅寸法Ｌ４かつ厚さ寸法Ｌ２の断面矩形状とされるものであり、面状部１００の幅方向の他端にＹ方向に沿って設けられている。
なお、幅寸法Ｌ３、Ｌ４が同じ寸法（Ｌ３＝Ｌ４）に形成されるとともに、第一補強用リブ１０１の厚さ寸法Ｌ１が、面状部１００の厚さ寸法ｔ１と第二補強用リブ１０２の厚さ寸法Ｌ２との和と同じ寸法（Ｌ１＝Ｌ２＋ｔ１）に形成されている。また、幅寸法Ｌ３、Ｌ４は同じ寸法でもよく、相違した寸法でもよい。
アングル材１１は、面状部１００の一方の平面１０３側、かつ高さ方向の両端に接着剤などで取り付けられている。
【００１５】
ここで、面状部１００と第一補強用リブ１０１と第二補強用リブ１０２とは、図２（Ａ）、（Ｂ）に示すように、石膏ボード製造装置２によって一体成形される。なお、図２（Ｂ）は、図２（Ａ）のＢ−Ｂ線に沿う断面図である。すなわち、図２（Ａ）に示すように、ベルトコンベア２０などの搬送装置上に図示しない石膏ボード用原紙が繰り出され、この石膏ボード用原紙上にミキサー２１から石膏スラリー２２が吐出され、この石膏スラリー２２を同軸異径の３つの筒状部からなるローラー２３で押圧する。これにより、図２（Ｂ）に示すように、面状部１００と第一補強用リブ１０１と第二補強用リブ１０２とが一体成形される。この後、ローラー２３で押圧された押圧面２４には、図示しない石膏ボード用原紙が貼り付けられる。そして、所定の長さに粗切断され、乾燥工程を経た後、図示しない切断装置によって所定長の石膏ボード１０に裁断される。なお、面状部１００に第一補強用リブ１０１と第二補強用リブ１０２とを一体成形する製造方法は図２に示すものに限定されない。
【００１６】
図３は建築用面材１の施工の一例である。図３に示される通り、建築用面材１は内壁として用いられており、上端のアングル材１１を介して梁３２に固定される。つまり、アングル材１１は、図３に示すように、釘３０などが挿通される穴１１０を有している。穴１１０を介して天井３１と梁３２とに釘３０を打つとともに、下端のアングル材１１の穴１１０を介して図示しない床と根太とに釘３０を打つことで、建築用面材１が固定される。そして、建築用面材１が面方向に並べて固定されることで内壁の下地材が形成される。
【００１７】
図４には建築用面材１のスタッキング状態を示す斜視図が示されている。
以上の建築用面材１は、図４に示すように、第二補強用リブ１０２と一方の平面１０３とが当接するように２枚の建築用面材をオフセットしてスタッキングすることで、スタッキングした２枚の建築用面材１の厚さ寸法が第一補強用リブ１０１の厚さ寸法Ｌ１、すなわち１枚の建築用面材１の厚さ寸法に収まる。従って、この状態では、図７に示される従来例のように角部に凹みが生じない。
【００１８】
従って、第１実施形態では次の作用効果を奏することができる。
（１）第一補強用リブ１０１と第二補強用リブ１０２とが面状部１００に一体成形されるため、第一補強用リブ１０１と第二補強用リブ１０２とを面状部１００とは別に形成する手間を省くことができ、建築用面材１の製造効率を向上することができる。また、第一補強用リブ１０１と第二補強用リブ１０２とが面状部１００に強固に結合されているため、建築用面材１の強度を確実に向上することができる。
【００１９】
（２）第一補強用リブ１０１の厚さ寸法Ｌ１が、面状部１００の厚さ寸法ｔ１と第二補強用リブ１０２の厚さ寸法Ｌ２との和と同じ寸法（Ｌ１＝Ｌ２＋ｔ１）に形成されているため、第二補強用リブ１０２と面状部１００の一方の平面１０３とが当接するようにスタッキングすることで、スタッキングした２枚の建築用面材１の厚さを１枚の建築用面材１の厚さに収めることができる。そのため、所定のスペースにより多くの建築用面材１をスタッキングすることができ、建築用面材１の保管に省スペースを図ることができる。また、スタッキングした２枚の建築用面材１が面一の状態となり、スタッキングした２枚の建築用面材１を複数段スタッキングしても持ちやすいとともに束ねやすいため、運搬性を向上することができる。
【００２０】
（３）さらに、アングル材１１を梁３２や根太などの建物躯体に釘３０打ちすることで、建築用面材１を容易に取り付けることができる。
【００２１】
次に、本発明の第２実施形態を図面に基づいて説明する。図５は本発明の第２実施形態に係る建築用面材の斜視図である。第２実施形態は第１実施形態とは合板１２を備える点が相違するもので、他の構成は第１実施形態と同じである。ここで、第２実施形態の説明において、第１実施形態と同一の構成要素は同一符号を付して説明を省略もしくは簡略にする。
【００２２】
第２実施形態では、図５に示すように、面状部１００の一方の平面１０３側、かつ第一補強用リブ１０１と第二補強用リブ１０２との間に酢酸ビニル樹脂エマルジョン接着剤などを介して合板１２が接着されたものである。
合板１２は、高さ寸法が面状部１００と同じ寸法に形成されるとともに、幅寸法が第一補強用リブ１０１と第二補強用リブ１０２との間隔と同じ寸法に形成され、平面矩形状に形成されている。
また、第一補強用リブ１０１は幅寸法Ｌ７かつ厚さ寸法Ｌ５の断面矩形状とされるものであり、面状部１００の幅方向の一端に設けられている。第二補強用リブ１０２は幅寸法Ｌ８かつ厚さ寸法Ｌ６の断面矩形状とされるものであり、面状部１００の幅方向の他端に設けられている。そして、幅寸法Ｌ７、Ｌ８が同じ寸法（Ｌ７＝Ｌ８）に形成されるとともに、第一補強用リブ１０１の厚さ寸法Ｌ５が、第二補強用リブ１０２の厚さ寸法Ｌ６と面状部１００の厚さ寸法ｔ１と合板１２の厚さ寸法ｔ２との和と同じ寸法（Ｌ５＝Ｌ６＋ｔ１＋ｔ２）に形成されている。なお、幅寸法Ｌ７、Ｌ８は同じ寸法でもよく、相違した寸法でもよい。
【００２３】
図６には建築用面材１のスタッキング状態を示す斜視図が示されている。
以上の建築用面材１は、図６に示すように、第二補強用リブ１０２と合板１２とが当接するように２枚の建築用面材をオフセットしてスタッキングすることで、スタッキングした２枚の建築用面材１の厚さ寸法が第一補強用リブ１０１の厚さ寸法Ｌ５、すなわち１枚の建築用面材１の厚さ寸法に収まる。従って、この状態でも、図７に示される従来例のように角部に凹みが生じない。
【００２４】
従って、第２実施形態では、第１実施形態の（１）〜（３）と同様の効果を奏する他、次の効果を奏することができる。
（４）合板１２を面状部１００に取り付けたから、面状部１００を貫通した釘やビスが合板１２に係止されるため、面状部１００に釘打ちやビス止めができる。
【００２５】
なお、本発明は前述の実施形態に限定されるものではなく、本発明の目的を達成できる範囲での変形、改良などは本発明に含まれるものである。
例えば、建築用面材１はアングル材１１を備えているが、アングル材１１はなくてもよい。つまり、建築用面材１を接着剤などで天井と床とに固定してもよい。
【産業上の利用可能性】
【００２６】
本発明は戸建て住宅、集合住宅、その他の建物に利用することができる。
【符号の説明】
【００２７】
１…建築用面材、１１…アングル材、１２…合板、１００…面状部、１０１…第一補強用リブ、１０２…第二補強用リブ、１０３…一方の平面、Ｌ１…厚さ寸法、Ｌ２…厚さ寸法、ｔ１…面状部の厚さ寸法。
【図１】
2011026877.tif 000003
【図２】
2011026877.tif 000004
【図３】
2011026877.tif 000005
【図４】
2011026877.tif 000006
【図５】
2011026877.tif 000007
【図６】
2011026877.tif 000008
【図７】
2011026877.tif 000009